(57)【要約】【課題】  シャンク剛性を低下させることなく、シューズの中足部のフィット性を向上できるアッパー構造を提供する。【解決手段】  シューズのアッパー構造において、シューズの中足部に配設され、着用者の足の足裏からアーチ部にかけての領域を囲繞する足裏当接部２Ａおよびアーチ当接部２Ｂを一体に連接してなる内アッパー部材２と、内アッパー部材２の左右両外側において内アッパー部材２のアーチ当接部２Ｂとの間に第１の間隙４を介して配設され、内アッパー部材２との間で２層のアッパー構造を形成するとともに、その下部３Ｌがシューズのミッドソール１０に固着される外アッパー部材３と、第１の間隙４に挿入された、弾性を有する第１の挿入部材５とを設ける。【選択図】    図１
2006230899.tif 000002
【特許請求の範囲】
【請求項１】
シューズのアッパー構造であって、
シューズの少なくとも中足部に配設されるとともに、着用者の足の足裏からアーチ部にかけての領域を囲繞する足裏当接部およびアーチ当接部を一体に連接してなる内アッパー部材と、
内アッパー部材の左右両外側において内アッパー部材のアーチ当接部との間に第１の間隙を介して配設され、内アッパー部材との間で２層のアッパー構造を形成するとともに、その下部がシューズのソールに固着される外アッパー部材と、
を備えたシューズのアッパー構造。
【請求項２】
請求項１において、
第１の間隙には、弾性を有する第１の挿入部材が挿入されている、
ことを特徴とするシューズのアッパー構造。
【請求項３】
請求項１において、
内アッパー部材が、シューズの中足部において、上方に開口するループ形状を有している、
ことを特徴とするシューズのアッパー構造。
【請求項４】
請求項１において、
第１の挿入部材が、シューズの中足部において、内アッパー部材に対して固着されていない、
ことを特徴とするシューズのアッパー構造。
【請求項５】
請求項１において、
第１の挿入部材が、シューズの中足部において、内アッパー部材および外アッパー部材のいずれにも固着されていない、
ことを特徴とするシューズのアッパー構造。
【請求項６】
請求項１において、
第１の間隙には、内アッパー部材との間で第１の挿入部材を包み込む中間アッパー部材が設けられている、
ことを特徴とするシューズのアッパー構造。
【請求項７】
請求項１において、
内アッパー部材の足裏当接部とシューズのソールとの間には、第２の間隙が形成され、第２の間隙には、弾性を有する第２の挿入部材が挿入されており、第１の挿入部材が第２の挿入部材の上に配置されている、
ことを特徴とするシューズのアッパー構造。
【請求項８】
請求項７において、
内アッパー部材の足裏当接部が、シューズの中足部において、第２の挿入部材に対して固着されていない、
ことを特徴とするシューズのアッパー構造。
【請求項９】
請求項７において、
内アッパー部材の足裏当接部が、シューズの少なくとも中足部において、第２の挿入部材に固着されている、
ことを特徴とするシューズのアッパー構造。
【請求項１０】
請求項９において、
第２の挿入部材に対する内アッパー部材の足裏当接部の固着個所が、シューズ着地時の荷重移動方向を示すロードパスラインに沿って帯状に延設されている、
ことを特徴とするシューズのアッパー構造。
【請求項１１】
請求項７において、
第１の挿入部材が横断面略三角形状の部材であり、第２の挿入部材が横長の矩形状部材である、
ことを特徴とするシューズのアッパー構造。
【請求項１２】
請求項７または１１において、
第１の挿入部材が第２の挿入部材に対して固着されていない、
ことを特徴とするシューズのアッパー構造。
【請求項１３】
請求項７または１１において、
第１の挿入部材が第２の挿入部材に固着されている、
ことを特徴とするシューズのアッパー構造。
【請求項１４】
請求項１において、
第１の挿入部材がシューズのソールと一体に形成されている、
ことを特徴とするシューズのアッパー構造。
【請求項１５】
請求項７において、
第２の挿入部材がシューズのソールと一体に形成されている、
ことを特徴とするシューズのアッパー構造。
【請求項１６】
請求項１において、
内アッパー部材がシューズの全長にわたって延びている、
ことを特徴とするシューズのアッパー構造。
【請求項１７】
請求項１において、
内アッパー部材および外アッパー部材の各上端縁部がループ状に一体に連結されている、
ことを特徴とするシューズのアッパー構造。
【発明の詳細な説明】
【技術分野】
【０００１】
本発明は、シューズのアッパー（甲被）構造に関し、詳細には、とくにシューズの中足部（土踏まず部）のフィット性を向上させるためのアッパー構造の改良に関する。
【背景技術】
【０００２】
シューズにおいて、中足部のフィット性を向上させたいとする要請がある。そのための方策として、シューズの中足部の幅寸法を小さくすることにより、シューズの中足部の形状を足のアーチ部の形状に沿わせるようにすることが考えられる。しかしながら、この場合には、シューズの中足部のシャンク剛性が低下することになるため、シューズの中足部の捩り剛性が低下して、シューズとしての安定性を損なうおそれがある。
【０００３】
そこで、カップ状に形成されたインソール（カップインソール）をシューズ内に装着することが一般に行われている。この場合には、シューズの中足部のシャンク剛性を低下させることなく、中足部のフィット性をある程度向上させることが可能である。
【０００４】
しかしながら、カップインソールは、断面形状が一定しているため、個体差があるアーチ部の種々の形状に対応するのが困難であり、シューズの中足部のフィット性を向上させるための手段として、最良のものではない。
【０００５】
本発明は、このような従来の実情に鑑みてなされたもので、カップインソールなどの別個の部材を必要とすることなく、種々の形状のアーチ部に対応してシューズの中足部のフィット性を向上させることを主眼としている。そこで、本発明では、中足部のフィット性の観点からはこれまであまり着目されていなかったシューズのアッパーに着目した。
【０００６】
ところで、従来のシューズにおけるアッパー構造においては、たとえば特開２００４−２８３４３０号公報や登録実用新案公報第３００７６５２号公報、特開平７−１３６００２号公報に示すように、アッパーの底部が中底の底面側に吊り込まれた状態でソールに接着されているか、あるいは、アッパーの底部の端面が中底の端面と突き合わされて縫製されている。
【特許文献１】特開２００４−２８３４３０号公報（図１および図２参照）
【特許文献２】登録実用新案公報第３００７６５２号公報（図５参照）
【特許文献３】特開平７−１３６００２号公報（図２参照）
【発明の開示】
【発明が解決しようとする課題】
【０００７】
本発明は、アッパー構造の改良により、シャンク剛性を低下させることなく、シューズ中足部のフィット性を向上させようとしている。
【課題を解決するための手段】
【０００８】
請求項１の発明に係るシューズのアッパー構造は、シューズの少なくとも中足部に配設され、着用者の足の足裏からアーチ部にかけての領域を囲繞する足裏当接部およびアーチ当接部を一体に連接してなる内アッパー部材と、内アッパー部材の左右両外側において内アッパー部材のアーチ当接部との間に第１の間隙を介して配設され、内アッパー部材との間で２層のアッパー構造を形成するとともに、その下部がシューズのソールに固着される外アッパー部材とを備えている。
【０００９】
請求項１の発明によれば、シューズの着用時には、内アッパー部材が着用者の足の足裏からアーチ部にかけての領域に配設されており、このとき、内アッパー部材の外側に配設された外アッパー部材と内アッパー部材との間には第１の間隙が形成されている。
【００１０】
シューズの着用時において、幅広の足やアーチが低い足（たとえば扁平足）の場合には、内アッパー部材が足に押されて外側に拡がることにより、第１の間隙が自然に狭められ、この状態で、内アッパー部材の足裏当接部が足裏に当接して足裏を支持するとともに、アーチ当接部が足のアーチ部に当接してアーチ部を支持する。また、幅狭の足やアーチの高い足の場合には、靴紐やベルトなどのシューズの緊締部材を適宜締め付けることにより、第１の間隙が狭められ、この状態で、内アッパー部材の足裏当接部が足裏に当接して足裏を支持し、アーチ当接部が足のアーチ部に当接してアーチ部を支持する。したがって、いずれの足の場合においても、シューズの緊締部材の緊締時には、内アッパー部材が足を包み込んで上方に持ち上げるように作用することになる。
【００１１】
このようにして、カップインソールなどの部材を別途必要とすることなく、シューズのアッパー構造を用いて、シューズの中足部の面受けを促し、フィット性を向上できる。しかも、この場合には、着用者の個体差に応じて内アッパー部材が変位するので、種々の形状のアーチに対応できる。また、この場合には、シューズの中足部において、内アッパー部材の外側に外アッパー部材が配設されて２層のアッパー構造を形成することにより、中足部に適切なソール幅を確保することができ、これにより、中足部のシャンク剛性を向上できる。
【００１２】
請求項２の発明によれば、第１の間隙には、弾性を有する第１の挿入部材が挿入されている。
【００１３】
この場合には、とくに、幅広の足やアーチが低い足において、また足のアーチが落ち込んだときなどにおいて、アーチ部が第１の挿入部材により適切に弾性支持されるようになるので、アーチ部のサポート性を向上できる。
【００１４】
内アッパー部材は、請求項３の発明に記載されているように、好ましくは、シューズの中足部において上方に開口するループ形状を有している。この場合には、シューズの着用時に、内アッパー部材が足裏およびアーチ部の形状により適切に沿った状態でアーチ部全体を保持するようになるので、アーチ部に対するシューズ中足部のフィット性を一層向上できる。
【００１５】
第１の挿入部材は、請求項４または５の発明に記載されているように、シューズの中足部において、好ましくは、内アッパー部材に対して固着されておらず、より好ましくは、内アッパー部材および外アッパー部材のいずれに対しても固着されていない。これらの場合には、第１の挿入部材の組込みが容易になるとともに、内アッパー部材の変位の自由度が増して、中足部のフィット性をより向上できる。
【００１６】
第１の間隙には、請求項６の発明に記載されているように、内アッパー部材との間で第１の挿入部材を包み込む中間アッパー部材が設けられていてもよい。この場合には、中間アッパー部材を介して第１の挿入部材を予め内アッパー部材に取り付けておくことにより、アッパー構造の組立てが容易になる。
【００１７】
請求項７の発明においては、内アッパー部材の足裏当接部とシューズのソールとの間に第２の間隙が形成されており、この第２の間隙には、弾性を有する第２の挿入部材が挿入されるとともに、第１の挿入部材が第２の挿入部材の上に配置されている。この場合には、第２の挿入部材により、着用者の足に対する足当たり感を向上できるとともに、足裏に対するフィット性を向上できる。
【００１８】
請求項８の発明では、内アッパー部材の足裏当接部が、シューズの中足部において、第２の挿入部材に対して固着されていない。この場合には、内アッパー部材の変位の自由度が増して、中足部のフィット性をより向上できる。
【００１９】
請求項９の発明では、内アッパー部材の足裏当接部が、シューズの少なくとも中足部において、第２の挿入部材に固着されている。この場合には、シューズ着用時に内アッパー部材に皺などが発生するのを防止できる。
【００２０】
請求項１０の発明では、第２の挿入部材に対する内アッパー部材の足裏当接部の固着個所が、シューズ着地時の荷重移動方向を示すロードパスラインに沿って帯状に延設されている。この場合には、ランニング時などの荷重移動の際に、内アッパー部材を足のアーチ部に確実にフィットさせることができる。
【００２１】
請求項１１の発明では、第１の挿入部材が横断面略三角形状の部材であり、第２の挿入部材が横長の矩形状部材である。
【００２２】
請求項１２の発明では、第１の挿入部材が第２の挿入部材に対して固着されていない。この場合には、第１の挿入部材の変位の自由度が増して、中足部のフィット性を向上できる。
【００２３】
第１の挿入部材は、請求項１３の発明に記載されているように、第２の挿入部材に固着されていてもよい。この場合には、第１および第２の挿入部材が一体化されるので、シューズの組立時に第１、第２の挿入部材の組込みが容易になる。
【００２４】
請求項１４の発明では、第１の挿入部材が、また請求項１５の発明では、第２の挿入部材が、シューズのソールと一体に形成されている。これらの場合には、成形工程を簡略化でき、製造コストを低減できる。
【００２５】
請求項１６の発明では、内アッパー部材がシューズの全長にわたって延びている。この場合には、シューズ内部において部材同士の継ぎ目が少なくなり、これにより、フィット性を向上できる。
【００２６】
請求項１７の発明では、内アッパー部材および外アッパー部材の各上端縁部がループ状に一体に連結されている。この場合には、内アッパー部材および外アッパー部材を単一の部材から構成できるので、部品点数を削減できる。さらに、内アッパー部材および外アッパー部材の各上端縁部のループ状部分に靴紐を通すことができ、この場合には、靴紐の緊締によって内アッパー部材および外アッパー部材に作用させる張力の調整を容易に行えるようになる。
【発明の効果】
【００２７】
以上のように本発明によれば、着用者の足の足裏からアーチ部にかけての領域に当接し得る内アッパー部材を、シューズの少なくとも中足部において外アッパー部材との間に第１の間隙を介して設けたので、種々の形状のアーチに対応でき、シューズの中足部のフィット性を向上できる。また、この場合には、シューズの中足部において、内アッパー部材の外側に外アッパー部材が配設されて２層のアッパー構造を形成することにより、中足部に適切なソール幅を確保することができ、これにより、中足部のシャンク剛性を向上できる。
【発明を実施するための最良の形態】
【００２８】
以下、本発明の実施例を添付図面に基づいて説明する。
〔第１の実施例〕
図１は、本発明の第１の実施例によるアッパー構造を採用するシューズの横断面部分図である。同図は、シューズの中足部（土踏まず部）の横断面を示している。
【００２９】
図１に示すように、このアッパー構造体１は、好ましくはループ状の横断面形状を有する内アッパー部材２と、内アッパー部材２の左右両外側に配設された外アッパー部材３とから主として構成されている。
【００３０】
内アッパー部材２は、着用者の足の足裏に対応する位置に配設され、シューズ着用時に足裏に当接する足裏当接部２Ａと、アーチ部に対応する位置に配設され、シューズ着用時にアーチ部に当接するアーチ当接部２Ｂとを一体に連接して形成されている。
【００３１】
外アッパー部材３は、内アッパー部材２のアーチ当接部２Ｂとの間に第１の間隙４を介して配設されており、内アッパー部材２のアーチ当接部２Ｂとの間で２層のアッパー構造を形成している。外アッパー部材３の下部３Ｌは、シューズのミッドソール１０上に固着されている。また、外アッパー部材３の上端縁部３Ｕは、内アッパー部材２の側部に固着されているが、内アッパー部材２の上端縁部までは延びておらず、アッパー構造体１の上側部分は、内アッパー部材２のみによって構成されている。内アッパー部材２の上端縁部には、靴紐を通すための複数の開孔（図示せず）が形成されている。
【００３２】
内アッパー部材２は、シューズの少なくとも中足部に配設されており、外アッパー部材３は、たとえばシューズの全長にわたって延びている。内アッパー部材２および外アッパー部材３は、甲被素材として一般に用いられているメッシュ素材、織物、人工皮革、天然皮革などから構成されているが、内アッパー部材２は、過度の伸縮性を有しない材料の方が好ましい。
【００３３】
第１の間隙４には、弾性を有する第１の挿入部材５が挿入されている。第１の挿入部材５は、たとえば横断面略三角形状の部材である。また、内アッパー部材２の足裏当接部２Ａとミッドソール１０との間には、第２の間隙６が形成されており、第２の間隙６には、弾性を有する第２の挿入部材７が挿入されている。第２の挿入部材７は、シューズの幅方向全域にわたって延在する横長の矩形状部材である。第１の挿入部材５は、第２の挿入部材７の上に配置されている。外アッパー部材３の下部縁部３Ｌは、第２の挿入部材７の下面に配設されている。
【００３４】
第１の挿入部材５は、内アッパー部材２のアーチ当接部２Ｂ、外アッパー部３および第２の挿入部材７のいずれに対しても固着されていない。また、内アッパー部材２の足裏当接部２Ａは、第２の挿入部材７に対して固着されていない。
【００３５】
次に、上述のように構成されるアッパー構造の作用効果について説明する。
シューズの着用時において、幅広の足やアーチが低い足（たとえば扁平足）の場合には、内アッパー部材２が足に押されて外側に拡がることにより、第１の間隙４が自然に狭められ、この状態で、内アッパー部材２の足裏当接部２Ａが足裏に当接して足裏を支持するとともに、アーチ当接部２Ｂが足のアーチ部に当接してアーチ部を支持する。また、幅狭の足やアーチの高い足の場合には、靴紐やベルトなどのシューズの緊締部材を適宜締め付けることにより、第１の間隙４が狭められ、この状態で、内アッパー部材２の足裏当接部２Ａが足裏に当接して足裏を支持し、アーチ当接部２Ｂが足のアーチ部に当接してアーチ部を支持する。したがって、いずれの足の場合においても、シューズの緊締部材の緊締時には、内アッパー部材２が足を包み込んで上方に持ち上げるように作用することになる。
【００３６】
このようにして、カップインソールなどの部材を別途必要とすることなく、シューズのアッパー構造を用いて、シューズの中足部の面受けを促し、フィット性を向上できる。しかも、この場合には、着用者の個体差に応じて内アッパー部材２が変位するので、種々の形状のアーチに対応できる。また、この場合には、シューズの中足部において、内アッパー部材２の外側に外アッパー部材３が配設されて２層のアッパー構造を形成することにより、中足部に適切なソール幅を確保することができ、これにより、中足部のシャンク剛性を向上できる。
【００３７】
また、内アッパー部材２が、シューズの中足部において上方に開口するループ形状を有しているので、シューズの着用時には、内アッパー部材２が足裏およびアーチ部の形状により適切に沿った状態でアーチ部全体を保持するようになり、これにより、アーチ部に対するシューズ中足部のフィット性を一層向上できる。
【００３８】
さらに、この場合、第１の間隙４には、弾性を有する第１の挿入部材５が挿入されているので、内アッパー部材２が足に押されて外側に拡がるときに、第１の挿入部材５が圧縮変形するようになっており、これにより、とくに、幅広の足やアーチが低い足において、また足のアーチが落ち込んだときなどにおいて、足のアーチ部が第１の挿入部材５により適切に弾性支持されるようになり、アーチ部のサポート性を向上できる。
【００３９】
また、第１の挿入部材５が、シューズの中足部において内アッパー部材２および外アッパー部材３のいずれにも固着されていないので、第１の挿入部材５の組込みが容易になるとともに、内アッパー部材２の変位の自由度が増して、中足部のフィット性をさらに向上できる。
【００４０】
さらに、内アッパー部材２の足裏当接部２Ａが第２の挿入部材７の上に配置されていることにより、着用者の足に対する足当たり感を向上できるとともに、足裏に対するフィット性を向上できる。
【００４１】
また、第１の挿入部材５が第２の挿入部材７に固着されていないことにより、第１の挿入部材５の変位の自由度が増して、中足部のフィット性をさらに向上できる。
【００４２】
さらに、内アッパー部材２の足裏当接部２Ａが第２の挿入部材７に固着されていないことにより、内アッパー部材２の変位の自由度が増して、中足部のフィット性を向上できる。
【００４３】
なお、第１および第２の挿入部材５，７は、同種の材料から構成されていても、異種の材料から構成されていてもよい。異種の材料から構成されている場合には、第１および第２の挿入部材５，７の物性を容易に異ならせることができる。たとえば、相対的に大きな変形量を要求される第１の挿入部材５を軟質の部材（たとえば発泡体、スポンジ、ゲル、流動体など）から構成し、変形性よりも安定性を要求される第２の挿入部材７を第１の挿入部材５よりも硬質の部材（たとえば紙製のボード、硬質ラバー、硬質スポンジなど）から構成するようにしてもよい。
【００４４】
また、内アッパー部材２がシューズの中足部を越えて前後方向に延設される場合には、内アッパー部材２は前後方向に継目なく配設されるので、足に対するフィット性を向上できる。
【００４５】
なお、外アッパー部材３は、軽量化の観点からは、実質的に上下方向に延びかつ前後方向に互いに間隔を隔てて配設された複数の帯状の部材（図示せず）から構成するようにしてもよい。この場合には、隣り合う各外アッパー部材３の間から、第１の挿入部材５が覗いている。
【００４６】
〔第２の実施例〕
前記第１の実施例では、第１の挿入部材５の側面５ａが第２の挿入部材７の側面７ａと略面一に設けられた例を示したが（図１参照）、本発明の適用はこれに限定されない。図２は、本発明の第２の実施例によるアッパー構造を採用するシューズの中足部（土踏まず部）の横断面部分図である。同図において、前記第１の実施例と同一符号は、同一または相当部分を示している。
【００４７】
この第２の実施例では、第１の挿入部材５の側面５ａ’が第２の挿入部材７の側面７ａ’の外側に張り出して設けられている。別の言い方をすれば、この場合には、内アッパー部材２および外アッパー部材３がいずれもミッドソール１０の左右外側に拡開して設けられている。
【００４８】
第２の実施例によれば、内アッパー部材２を上方に引き上げた際に、外アッパー部材３を介して第１の挿入部材５が内方に押し付けられ、これにより、シューズ中足部のフィット性を向上できる。
【００４９】
〔第３の実施例〕
前記第１および第２の実施例では、第１の挿入部材５が、第１の間隙４内に単に配置された例を示したが、本発明の適用はこれに限定されない。
【００５０】
図３は、本発明の第３の実施例によるアッパー構造を示している。同図に示すように、この第３の実施例では、第１の間隙４内には、内アッパー部材２のアーチ当接部２Ｂとの間で第１の挿入部材５を包み込む中間アッパー部材８が設けられている。中間アッパー部材８の上下端縁部は、いずれも内アッパー部材２のアーチ当接部２Ｂに固着されている。
【００５１】
この場合には、中間アッパー部材８を介して第１の挿入部材５を予め内アッパー部材２に保持させておくことにより、アッパー構造の組立てが容易になる。
【００５２】
〔第４の実施例〕
前記第１ないし第３の実施例では、第１の挿入部材５が第２の挿入部材７から分離されている例を示したが、本発明の適用はこれに限定されない。
【００５３】
第１および第２の挿入部材５，７をそれぞれ別個に製作した後、これらを固着するようにしてもよい。この場合には、第１、第２の挿入部材５，７が一体化されるので、シューズの組立時に第１、第２の挿入部材５，７の組込みが容易になる。なお、第１、第２の挿入部材５，７が同種の材料から構成される場合には、これらを一体成形することにより第１、第２の挿入部材５，７を容易に一体化できる。
【００５４】
〔第５の実施例〕
前記第１ないし第３の実施例では、内アッパー部材２の足裏当接部２Ａが第２の挿入部材７に固着されていない例を示したが、本発明の適用はこれに限定されない。
【００５５】
内アッパー部材２の足裏当接部２Ａを第２の挿入部材７に固着するようにしてもよく、この場合には、シューズ着用時に内アッパー部材２に皺などが発生するのを防止できる。
【００５６】
また、第２の挿入部材７に対する内アッパー部材２の足裏当接部２Ａの固着個所は、図４のソール平面図に示すような、シューズ着地時の荷重移動方向を示すロードパスラインＬｐに沿って帯状に延設されているのが好ましい（図中の斜線個所参照）。
【００５７】
この場合には、ランニング時などの荷重移動の際に、内アッパー部材２を足のアーチ部に確実にフィットさせることができる。
【００５８】
〔第６の実施例〕
前記第１ないし第３の実施例では、外アッパー部材３の上端縁部３Ｕが内アッパー部材２の上端縁部まで延びておらず、アッパー構造体１の上側部分が内アッパー部材２のみによって構成されている例を示したが、本発明の適用はこれに限定されない。
【００５９】
図５は、本発明の第６の実施例によるアッパー構造を示している。なお、同図において、前記第１の実施例と同一符号は同一または相当部分を示している。図５に示すように、この第５の実施例では、内アッパー部材２’の上端縁部２’Ｕが、外アッパー部材３’の側部に固着されているが、外アッパー部材３’の上端縁部までは延びておらず、アッパー構造体１の上側部分が、外アッパー部材３’のみによって構成されている。外アッパー部材３’の上端縁部には、靴紐を通すための複数の開孔（図示せず）が形成されている。
【００６０】
この場合においても、前記第１の実施例と同様の作用効果を奏するが、前記第１の実施例では、内アッパー部材２の上端縁部に靴紐が係止されることにより、靴紐の緊締時には、内アッパー部材２が直接引っ張り上げられてアーチ部に対するフィット性を向上させるのに対し、この第６の実施例では、靴紐の緊締時には、外アッパー部材３’を介して内アッパー部材２’が引っ張り上げられるようになっている。
【００６１】
〔第７の実施例〕
前記各実施例では、内アッパー部材が、外アッパー部材とは別個に設けられた例を示したが、本発明の適用はこれに限定されない。
【００６２】
図６は、本発明の第７の実施例によるアッパー構造を示している。なお、同図において、前記各実施例と同一符号は同一または相当部分を示している。図６に示すように、この第７の実施例では、外アッパー部材３’’の上側縁部がループ状に折り返されてシューズ内方に延びており、この内方の延設部分３’’Ａ および３’’Ｂが、前記各実施例における内アッパー部材２の足裏当接部２Ａおよびアーチ当接部２Ｂにそれぞれ対応している。別の言い方をすれば、第７の実施例においては、内アッパー部材および外アッパー部材の各上側縁部がループ状に一体に連結されているといえる。また、このループ状の折返し部には、靴紐３０が挿入されている。
【００６３】
この場合には、内アッパー部材および外アッパー部材を単一の部材から構成できるので、部品点数を削減できるとともに、靴紐３０の緊締によって内アッパー部材および外アッパー部材に作用させる張力の調整を容易に行えるようになる。なお、靴紐を通すための複数の開孔（図示せず）をループ状の折返し部に別途形成するようにしてもよい。
【００６４】
〔第８の実施例〕
前記各実施例では、第１および第２の挿入部材５，７が、ミッドソール１０とは別に設けられた例を示したが、本発明の適用はこれに限定されない。
【００６５】
前記各実施例において、ミッドソール１０を省略するとともに、第１、第２の挿入部材５，７をミッドソール１０と同様の軟質弾性部材により一体成形して、その下面にアウトソール１１を接着するようにしてもよい。この場合には、シューズ全体の成形工程を簡略化でき、製造コストを低減できる。
【図面の簡単な説明】
【００６６】
【図１】本発明の第１の実施例によるアッパー構造を採用するシューズの横断面部分図である。
【図２】本発明の第２の実施例によるアッパー構造を採用するシューズの横断面拡大部分図である。
【図３】本発明の第３の実施例によるアッパー構造を採用するシューズの横断面拡大部分図である。
【図４】シューズ着地時の荷重移動方向を示すロードパスラインを説明するための図である。
【図５】本発明の第６の実施例によるアッパー構造を採用するシューズの横断面部分図である。
【図６】本発明の第７の実施例によるアッパー構造を採用するシューズの横断面部分図である。
【符号の説明】
【００６７】
１：  アッパー構造体
２：  内アッパー部材
２Ａ：  足裏当接部
２Ｂ：  アーチ当接部
３：  外アッパー部材
３Ｌ：  下部
４：  第１の間隙
５：  第１の挿入部材
６：  第２の間隙
７：  第２の挿入部材
１０：  ミッドソール
Ｌｐ：  ロードパスライン
【図１】
2006230899.tif 000003
【図２】
2006230899.tif 000004
【図３】
2006230899.tif 000005
【図４】
2006230899.tif 000006
【図５】
2006230899.tif 000007
【図６】
2006230899.tif 000008